(57)【特許請求の範囲】
【請求項１】
少なくとも２群の可動変倍レンズ群を備え、変倍時に、これら２群の可動変倍レンズ群をそれぞれ駆動するズームレンズ鏡筒において、
上記２群の可動変倍レンズ群をそれぞれ支持したレンズ枠；これらのレンズ枠にそれぞれ一体に、かつ同一方向に突出させて設けたカムピン；
上記２群の可動変倍レンズ群のカムピンが嵌まるカム溝をそれぞれ有し、同軸に相対回転可能に枢着された互いに平行な２枚の駆動板；
及び変倍時に、この２枚の駆動板を個別に回転駆動する２つの駆動機構；を備え、
上記２枚の駆動板のカム溝は、変倍時に、該２枚の駆動板の回動により、上記２群の可動変倍レンズ群を予め定めた方向に駆動するように形状が設定されていることを特徴とするズームレンズ鏡筒の駆動装置。
【請求項２】
請求項１記載のズームレンズ鏡筒の駆動装置において、２つの駆動機構は、２枚の駆動板を常時互いに反対方向に回転駆動するズームレンズ鏡筒の駆動装置。
【請求項３】
請求項２記載のズームレンズ鏡筒の駆動装置において、ズームレンズ系は、変倍時に、上記２群の可動変倍レンズ群を互いに反対の方向に駆動するレンズ系であり、上記２枚の駆動板のカム溝は、該２枚の駆動板の互いの反対方向の回動により、上記２群の可動変倍レンズ群を互いに反対の方向に駆動するように形状が設定されているズームレンズ鏡筒の駆動装置。
【発明の詳細な説明】
【０００１】
【技術分野】
本発明は、ズームレンズ鏡筒の駆動装置に関する。
【０００２】
【従来技術及びその問題点】
ズームレンズは、少なくとも２群の可動変倍レンズ群を備えており、変倍時には、これらの可動変倍レンズ群を予め定めた方向に駆動する。その古典的な駆動機構は、カムリングに形成したカム溝によって、焦点移動が生じない軌跡で各可動変倍レンズ群を移動させるものであり、ズーミング中のピントずれを許さない一眼レフカメラに広く用いられている。一方、コンパクトカメラやデジタルカメラでは、シャッタレリーズ時に厳密にピントが合えばよいことから、変倍時には、焦点移動を許して大まかに可動変倍レンズ群を移動させ、シャッタレリーズ時に、設定焦点距離情報及び被写体距離情報に基づいて、可動変倍レンズ群を合焦位置に移動させる駆動機構も用いられつつある。この後者の機構では、２群の可動変倍レンズ群の駆動機構を個別に設け、そのレンズ群位置をデジタル量として検出し制御している。本発明にいう変倍あるいはズーミングとは、前者の各変倍レンズ群を焦点移動が生じないように移動させる態様と、後者の焦点移動を許して移動させる態様との両者を含む概念である。勿論、２群の可動変倍レンズ群の駆動機構を個別に設け、そのレンズ群位置をデジタル量として検出制御する態様でも、焦点移動が生じないように、各変倍レンズ群を移動させることは可能である。
【０００３】
ところで、２群の可動変倍レンズ群の駆動機構を個別に設ける従来のズームレンズ鏡筒の駆動装置は、単一のカムリングで可動変倍レンズ群を駆動する装置に比べて、どうしても装置構成が大型化、複雑化していた。
【０００４】
【発明の目的】
本発明は、少なくとも２群の可動変倍レンズ群の駆動機構を個別に設けるズームレンズ鏡筒において、その駆動装置の構成の単純化、小型化を図ることを目的とする。
【０００５】
【発明の概要】
本発明は、少なくとも２群の可動変倍レンズ群を備え、変倍時に、これら２群の可動変倍レンズ群をそれぞれ駆動するズームレンズ鏡筒において、上記２群の可動変倍レンズ群をそれぞれ支持したレンズ枠；これらのレンズ枠にそれぞれ一体に、かつ同一方向に突出させて設けたカムピン；上記２群の可動変倍レンズ群のカムピンが嵌まるカム溝をそれぞれ有し、同軸に相対回転可能に枢着された互いに平行な２枚の駆動板；及び変倍時に、この２枚の駆動板を個別に回転駆動する２つの駆動機構；を備え、上記２枚の駆動板のカム溝は、変倍時に、該２枚の駆動板の回動により、上記２群の可動変倍レンズ群を予め定めた方向に駆動するように形状が設定されていることを特徴としている。また、２枚の駆動板は、常時互いに反対方向に回転駆動するようにすると、２枚の駆動板の回動スペースを小さくして小型化を図ることができる。特に、ズームレンズ系が、変倍時に、２群の可動変倍レンズ群を互いに反対の方向に移動させるレンズ系である場合には、２枚の駆動板のカム溝を、該２枚の駆動板の互いの反対方向の回動により、２群の可動変倍レンズ群が互いに反対の方向に移動するような形状とすることが好ましい。
【０００６】
【発明の実施の形態】
この実施形態のズームレンズ鏡筒は、ＣＣＤに撮像するいわゆるデジタルカメラ用である。レンズ構成は、図６、図７に示すように、固定の正の第１レンズ群Ｌ１と、可動の負の第２レンズ群Ｌ２及び正の第３レンズ群Ｌ３との３群構成である。このレンズ系は、ズーミング（変倍）は、第２レンズ群Ｌ２と第３レンズ群Ｌ３を移動させて行ない、フォーカシングは、第２レンズ群Ｌ２を移動させて行なうバリフォーカルタイプであるが、第２レンズ群Ｌ２と第３レンズ群Ｌ３の位置制御は、カム溝によるものではない。設定焦点距離情報と被写体距離情報に基づいて、第２レンズ群Ｌ２の位置をオープン制御し、第３レンズ群Ｌ３の位置をクローズド制御するタイプである。
【０００７】
レンズ側ケーシング１１内に位置する鏡筒ボディ１０は、図５ないし図９に明らかなように、大きく前方プラスチックボディ１２、後方プラスチックボディ１３、及びこの前方ボディ１２と後方ボディ１３の間に挟着した絞ブロック１４からなっている。前方ボディ１２と後方ボディ１３の間には、光軸と平行な方向の複数のガイドロッド１５（図６、図７、図９に１本のみ図示）が固定されており、このガイドロッド１５に、第２レンズ群Ｌ２を保持した２群枠（レンズ枠）１６と、第３レンズ群Ｌ３を保持した３群枠（レンズ枠）１７とがそれぞれ移動自在に案内されている。この３群枠１７の後方には、ＣＣＤ（撮像素子）１８が位置し、このＣＣＤ１８は、その基板２０を介して後方ボディ１３に固定されている。１９は、水晶フィルターである。ケーシング１１には、第１レンズ群Ｌ１の前方に位置するカバーガラス（平行平面板）２５（図１、図２、図４）が固定されている。
【０００８】
２群枠１６と３群枠１７にはそれぞれ、上方に突出する２群ピン（カムピン）１６ａと３群ピン（カムピン）１７ａが一体に設けられている。また、この２群枠１６と３群枠１７はそれぞれ、バックラッシュ除去用の引張ばね１６ｂ、１７ｂにより、後方（ＣＣＤ１８側）に移動付勢されている。
【０００９】
前方ボディ１２には、２群枠１６（第２レンズ群Ｌ２）の原点位置を検出するフォトセンサ（原点センサ）２２が固定されており、２群枠１６には、このフォトセンサ２２と協働するドッグプレート２３が固定されている。この実施形態では、第２レンズ群Ｌ２の原点位置は、広角端の無限遠撮影位置として設定されており、第２レンズ群Ｌ２がこの原点位置にあるとき、ドッグプレート２３がフォトセンサ２２を遮光して原点位置を検出する。この原点位置からの移動量は、第２レンズ群Ｌ２を駆動する２群パルスモータＭ２のパルス数を管理するレンズ側制御回路（ＣＰＵ）７０（図１８）が送出する。原点位置からの移動量は、パルサーを用いて、同様にパルス管理することもできる。
【００１０】
図６に示す望遠端の状態と、図７に示す広角端の状態から類推できるように、望遠端から広角端に向けて焦点距離が変化するとき、２群枠１６（第２レンズ群Ｌ２）は前方に移動し、３群枠１７（第３レンズ群Ｌ３）は後方に移動する。つまり、焦点距離を変化させるとき、２群枠１６（第２レンズ群Ｌ２）と３群枠１７（第３レンズ群Ｌ３）は常に反対方向に移動する。
【００１１】
以上の鏡筒ボディ１０内の２群枠１６と３群枠１７を駆動する駆動機構は、レンズ駆動ユニット３０として、別に組み立てられ、前方ボディ１２と後方ボディ１３上に跨らせて装着される。このレンズ駆動ユニット３０を、図１ないし図４、及び図１０ないし図１３について説明する。
【００１２】
このレンズ駆動ユニット３０は、段違いに位置する第１親板３１と第２親板３２を有する。図１０においては、図示の便宜上、上方に位置する第１親板３１を鎖線で、下方に位置する第２親板３２を実線で描いている。下方の第２親板３２には、その下面に、それぞれの出力軸を該第２親板３２に直交させた状態で、２群パルスモータＭ２と３群モータＭ３が固定されている。第１親板３１には、２群枠１６の２群ピン１６ａを嵌入させるカム溝（リード溝）３５ａを有する２群駆動板３５と、３群枠１７の３群ピン１７ａを嵌入させるカム溝（リード溝）３６ａを有する３群駆動板３６とが、共通軸３７で同軸に枢着されている。２群ピン１６ａと３群ピン１７ａは、それぞれの引張ばね１６ｂと１７ｂにより、カム溝３５ａとカム溝３６ａの後側（ＣＣＤ１８側）の面に常時当接し、バックラッシュが除去される。この２群駆動板３５と３群駆動板３６は、互いに平行をなしている。
【００１３】
第１親板３１と第２親板３２の間には、２群パルスモータＭ２の回転を２群駆動板３５に伝達するギヤ機構３８と、３群モータＭ３の回転を３群駆動板３６に伝達するギヤ機構３９及びボリューム機構（可変抵抗器）４０とが支持されている。まず、２群パルスモータＭ２の出力軸に固定された第１ギヤ３８ａは、第２ギヤ３８ｂ、第３ギヤ３８ｃ、第４ギヤ３８ｄ、及び第５ギヤ３８ｅを介して、２群駆動板３５の外周に形成したセクタギヤ３５ｂと噛み合っている。第２ギヤ３８ｂないし第５ギヤ３８ｅはそれぞれ、二段ギヤである。
【００１４】
また３群モータＭ３の出力軸に固定された第１ギヤ３９ａは、第２ギヤ３９ｂ、第３ギヤ３９ｃ、第４ギヤ３９ｄ、第５ギヤ３９ｅ、及び第５ギヤ３９ｆを介して、３群駆動板３６の外周に形成したセクタギヤ３６ｂと噛み合っている。第２ギヤ３９ｂないし第５ギヤ３９ｅはそれぞれ、二段ギヤである。第５ギヤ３９ｅは、ギヤ機構３９の第５ギヤ３９ｆに噛み合うと同時に、ボリューム機構４０の回転ブラシギヤ４０ａに噛み合っており、この回転ブラシギヤ４０ａには、その裏面にブラシ４０ｂが固定されている。一方、後方ボディ１３上には、レンズ駆動ユニット３０とは別に（レンズ駆動ユニット３０を固定する前に）、抵抗板４０ｃが固定されていて、この抵抗板４０ｃとブラシ４０ｂとが接触する。抵抗板４０ｃの二つの端子４０ｄ、４０ｅの間の抵抗は、回転ブラシギヤ４０ａの回動位置によって変化し、よって３群駆動板３６の回転位置、つまり３群枠１７（第３レンズ群Ｌ３）の絶対位置に応じた抵抗値が取り出される。
【００１５】
２群駆動板３５と３群駆動板３６は、前述のように、共通軸３７に同軸に枢着されており、そのカム溝３５ａと３６ａは、２群駆動板３５と３群駆動板３６が図１０で反時計方向に回転するとき、２群枠１６（２群ピン１６ａ）と３群枠１７（３群ピン１７ａ）をともに前方に移動させる形状をしている。一方、前述のように、焦点距離が変化するときには、２群枠１６（第２レンズ群Ｌ２）と３群枠１７（第３レンズ群Ｌ３）は、移動方向を異ならせるから、２群駆動板３５と３群駆動板３６のズーミング時の回転方向は、常時、つまり、望遠側から焦点距離を短くするとき、及び広角側から焦点距離を長くするときのいずれの場合も、反対である。このように、２枚の２群駆動板３５と３群駆動板３６を同軸に枢着し、しかもその反対方向の回転で、第２レンズ群Ｌ２と第３レンズ群Ｌ３を反対方向に動かす構成とすることにより、小型化を図ることができる。
【００１６】
また、この２群駆動板３５と３群駆動板３６は、図１０、図１２に示すように、平板状部材からなっていて、共通軸３７の軸方向位置を僅かに異ならせて配置されている。この２群駆動板３５と３群駆動板３６が全円状部材であれば、両者のどの回転域でも相互に干渉するおそれはないが、小型化、軽量化を図るために、それぞれ略セクタ状の部材として構成してある。しかし、純粋にセクタ状であると、両者の回転角によっては、該セクタ状部材が板厚方向に変形したとき、その先端側の板厚端面が干渉するおそれがある。
【００１７】
そこで、２群駆動板３５と３群駆動板３６にはそれぞれその先端部側に、最大に反対方向に回動したときでも、平面的に見て相互にオーバラップするウィング部３５ｃ、３６ｃを設けている。図１０は、２群駆動板３５が最大に反時計方向に回動し、３群駆動板３６が最大に時計方向に回動した状態（広角端）を示しており、この状態でも、ウィング部３５ｃと３６ｃが平面的に見てオーバラップしている。別言すると、２群駆動板３５と３群駆動板３６は、できるだけ小さい略セクタ状とし、この一対のセクタ状の駆動板の先端部にそれぞれ、必ず一部が平面的にオーバラップするウィング部３５ｃ、３６ｃを設けることにより、２群駆動板３５と３群駆動板３６の全回転域における円滑な回転を保証している。
【００１８】
図１０について、２群駆動板３５と３群駆動板３６の回動スペースの小型化の効果を説明する。図１０は、上述のように、２群駆動板３５と３群駆動板３６がそれぞれ一方の回動端（広角端）にある状態を示しており、このとき、ウィング部３５ｃと３６ｃが一部オーバラップしている。この図１０の状態から２群駆動板３５が時計方向に、３群駆動板３６が反時計方向に回動すると、両駆動板は、オーバラップ量を増加させていくから、両者の合計平面面積は縮小していく。つまり、図１０の状態が、両回動板が最大に回動スペース（合計平面面積）をとった状態であり、これ以上、回動スペースが増加することはない。これに対し、仮に、２群回動板３５と３群回動板３６が同方向に回動する場合を想定すると、より大きな回動スペースを要することが分かる。
【００１９】
以上の構成を有するレンズ駆動ユニット３０（抵抗板４０ｃを除く）は、別ユニットとして構成され、抵抗板４０ｃを後方ボディ１３上に複数の固定ねじ４１で固定した後、別の複数の固定ねじ４２を介して、鏡筒ボディ１０（前方ボディ１２と後方ボディ１３）の上に固定される。
【００２０】
次に、前方ボディ１２と後方ボディ１３の間に挟まれた絞ブロック１４及びその駆動ユニット６０を、図１４ないし図１７について説明する。絞ブロック１４の基板５０と、この絞ブロック１４に固定ねじ５１を介して固定されたリテイナ５２には、光軸上のアパーチャ５０ａと、５２ａが形成されている。基板５０上に、アパーチャ５０ａの周囲に位置させて穿設したダボ孔５０ｂには、絞羽根５３の一対のダボのうちの一方のダボ５３ａが嵌まっている。基板５０とリテイナ５２の間には、開閉環５４が回転自在に支持されており、この開閉環５４には、絞羽根５３の他方のダボ５３ｂが嵌まるカム孔５４ａが形成されている。この周知の絞機構は、開閉環５４を回動させると、絞羽根５３による絞開口の大きさが、図１４に示す最大開口と、図１５に示す最小開口との間で変化する。
【００２１】
また、基板５０には、可動変倍レンズ群Ｌ２、Ｌ３の２本のガイドロッド１５の挿通孔５０ｃ（図１５参照）が穿設されている。前方ブロック１２と後方ブロック１３の組立時には、この２つの挿通孔５０ｃにガイドロッド１５をそれぞれ挿通し、基板５０より前方のガイドロッド１５に可動変倍レンズＬ２をガイドさせ、基板５０より後方のガイドロッド１５に可動変倍レンズＬ３をガイドさせる。
【００２２】
開閉環５４には、回動操作用の半径方向の絞開閉アーム５４ｂが形成され、この絞開閉アーム５４ｂには、径方向連動溝５４ｃが形成されている。また、絞ブロック１４には、絞機構の原点位置を検出するフォトセンサ（原点センサ）５５が固定されており、基板５０上には、このフォトセンサ５５に対応するドッグ５４ｄが突出形成されている。図示例では、絞開放位置が原点として設定されており、絞開放位置で、ドッグ５４ｄがフォトセンサ５５を遮光して原点位置を検出する。そして開閉環５４が開放位置から絞り込まれたときの絞り値（開閉環５４の回転角）は、絞用パルスモータＭ１のパルス数を管理するレンズ側制御回路７０（図１８）が送出する。原点位置からの移動量（絞値）は、パルサーを用いて、同様にパルス管理することもできる。
【００２３】
絞駆動ユニット６０は、絞ブロック１４の基板５０とは光軸方向及び径方向位置を異ならせて、後方ボディ１３に固定される別ユニット部材である。絞駆動ユニット６０の基板６１には、絞用パルスモータＭ１が固定されており、その出力軸の第１ギヤ６２ａは、第２ギヤ６２ｂを介して、セクタギヤ６２ｃに噛み合っている。セクタギヤ６２ｃには一体に、駆動アーム（半径アーム）６２ｄが設けられており、この駆動アーム６２ｄに、開閉環５４の径方向連動溝５４ｃに嵌まる連動ピン６３が突出形成されている。第２ギヤ６２ｂは二段ギヤである。
【００２４】
以上の絞ブロック１４と絞駆動ユニット６０はそれぞれ予め組み立てられてユニット化される。そして、絞ブロック１４の基板５０は、前方ボディ１２と後方ボディ１３の間に挟着固定され、絞駆動ユニット６０の基板６１は、その連動ピン６３を開閉環５４の径方向連動溝５４ｃに嵌め、かつその一端部を後方ボディ１３の挟着溝６５（図８）に挟み込んだ状態で、複数の固定ねじ６４を介して後方ボディ１３に固定される。
【００２５】
図１８は、以上のズームレンズ鏡筒の制御系を示すものである。レンズ側制御回路（ＣＰＵ）７０には、以上に説明した要素、すなわち絞用パルスモータＭ１、２群パルスモータＭ２、３群モータＭ３、２群原点センサー２２、３群用ボリューム４０、絞原点センサー５５、ＣＣＤ１８の他に、ズームスイッチ７１、レリーズスイッチ７２、測光装置７３、測距装置７４が接続されている。測光装置７３は、ＣＣＤ１８で兼用するのが一般的であるが、表記上、別に表示してある。測距装置７４は、パッシブタイプ、アクティブタイプを問うものではないが、図１ないし図３には、パッシブタイプの測距装置７４が示されている。ＣＣＤ１８上に結像された画像情報は電気信号に変換され、信号処理回路７５を介して、記憶装置７６に記録される。
【００２６】
レンズ側ケーシング１１は、略中心部の筒状ボス８１（図１、図２）を介して、図示しないボディ側ケーシングと２７０゜未満回転可能に接続される。ボディ側ケーシングには、上記のズームスイッチ７１、レリーズスイッチ７２、信号処理回路７５、記憶装置７６の他、ＣＣＤ１８上に結像した被写体像を表示する、ファインダ機能を持つ液晶表示パネル、ボディ側ＣＰＵ、各種機能スイッチ等が搭載されている。ボディ側ケーシング内の電気回路と、レンズ側ケーシング１１内の電気回路とは、筒状ボス８１を通るボディ−レンズ接続ＦＰＣ基板８２を介して接続されている。すなわち、ボディ側ケーシング内のＣＰＵと接続されたボディ−レンズ接続ＦＰＣ基板８２は、筒状ボス８１を通って、基板２０上に設けたコネクタ８３と、レンズ側ＦＰＣ基板８４に設けたコネクタ８５に接続されており、このレンズ側ＦＰＣ基板８４上に、ケーシング１１内のすべての電気要素を接続する印刷回路と、レンズ側ＣＰＵ７０等の電子デバイスが装着されている。
【００２７】
そして、このレンズ側ＦＰＣ基板８４に接続される、鏡筒ボディ１０に関係するモータ等の要素は、筒状ボス８１に関してその上方に位置し、レンズ側ＣＰＵ７０は、筒状ボス８１に関してその下方に位置している。このように、電気的雑音を発するモータ等の要素と、雑音の影響を受けやすいレンズ側ＣＰＵ７０とを、筒状ボス８１を挟んで、その上下（反対側）に配置することにより、誤動作を防ぐことができる。
【００２８】
上記構成の本ズームレンズ鏡筒の基本的な動作は次の通りである。図７の広角端の状態において、ズームスイッチ７１をワイド側に操作すると、２群パルスモータＭ２、ギヤ機構３８及び２群駆動板３５を介して、２群枠１６（第２レンズ群Ｌ２）は前方に移動し、３群モータＭ３、ギヤ機構３９及び３群駆動板３６を介して、３群枠１７（第３レンズ群Ｌ３）は後方に移動する。同様に、図６の望遠端の状態において、ズームスイッチ７１をテレ側に操作すると、２群枠１６（第２レンズ群Ｌ２）は後方に、３群枠１７（第３レンズ群Ｌ３）は前方に移動する。２群枠１６の原点位置からの移動量は、レンズ側制御回路７０から送出され、３群枠１７の位置は、３群用ボリューム４０によって検出された位置情報により決定される。このズーミング動作時には、ピントが合っている必要、あるいは焦点移動を生じさせないようにする必要は必ずしもない。
【００２９】
３群用ボリューム４０によって検出される第３レンズ群Ｌ３の位置は、絶対位置であり、よってこの第３レンズ群の位置を基準に設定焦点距離が定められる。ズームスイッチ７１の操作力を開放したとき、ピントはずれていてもよい。
【００３０】
次に、レリーズスイッチ７２を押すと、その半押しで、測光装置７３及び測距装置７４が働き、被写体輝度情報及び被写体距離情報が得られ、全押しで、ＣＣＤ１８の撮像動作が行なわれる。レリーズスイッチ７２が全押しされる前に、測光装置７３による被写体輝度情報に基づき絞用パルスモータＭ１、絞原点センサー５５及びレンズ側制御回路７０により、絞値が設定され、上記の設定焦点距離情報と測距装置７４による被写体距離情報に基づき、２群パルスモータＭ２、２群原点センサー２２及びレンズ側制御回路７０により、第２レンズ群Ｌ２が合焦位置に移動する。すなわち、ズームスイッチ７１による設定焦点距離によって第３レンズ群Ｌ３の絶対位置を定めると、第２レンズ群Ｌ２の位置は、この設定焦点距離と測距装置７４による被写体距離情報により一義的に定まるから、以上の動作により、ピントの合った被写体像がＣＣＤ１８上に結像し、撮像動作が行なわれることになる。
【００３１】
【発明の効果】
本発明は、少なくとも２群の可動変倍レンズ群を備え、変倍時に、これら２群の可動変倍レンズ群をそれぞれ駆動するズームレンズ鏡筒において、変倍レンズ群のレンズ枠にそれぞれ一体に、かつ同一方向に突出させてカムピンを設け、このカムピンが嵌まるカム溝をそれぞれ有し、同軸回りに回転可能な２枚の駆動板を互いに平行に設け、この２枚の駆動板のカム溝を、変倍時に、該２枚の駆動板の回動により、２群の可動変倍レンズ群を予め定めた方向に駆動する形状としたので、駆動機構の小型化、単純化を図ることができる。
【図面の簡単な説明】
【図１】本発明によるズームレンズ鏡筒の一実施形態を示すケーシングを断面とした左側面図である。
【図２】同右側面図である。
【図３】同正面図である。
【図４】図１のIV−IV線に沿う断面図である。
【図５】レンズ駆動ユニットを組み込む前の鏡筒ボディの左側面図である。
【図６】図５の縦断面図であって、望遠端の状態を示す図である。
【図７】図５の縦断面図であって、広角端の状態を示す図である。
【図８】図５のVIII矢視図である。
【図９】図８の横断面図である。
【図１０】レンズ駆動ユニットの平面図である。
【図１１】図１０のXI矢視図である。
【図１２】図１０のXII 矢視図である。
【図１３】図１０のXIII−XIII線に沿う断面図である。
【図１４】絞駆動ユニットの絞開放状態の正面図である。
【図１５】同最小絞状態の正面図である。
【図１６】図１４のXVI-XVI 線に沿う断面図である。
【図１７】図１４のXVII-XVII 線に沿う断面図である。
【図１８】実施例のズームレンズ鏡筒の制御系を示すブロック図である。
【符号の説明】
Ｌ１  第１レンズ群
Ｌ２  第２レンズ群
Ｌ３  第３レンズ群
Ｍ１  絞用パルスモータ
Ｍ２  ２群パルスモータ
Ｍ３  ３群モータ
１０  鏡筒ボディ
１１  ケーシング
１２  前方プラスチックボディ
１３  後方プラスチックボディ
１４  絞ブロック
１５  ガイドロッド
１６  １７  レンズ枠
１６ａ  １７ａ  カムピン
１８  ＣＣＤ
２０  基板
２２  フォトセンサー（原点センサー）
２３  ドッグプレート
３０  レンズ駆動ユニット
３１  第１親板
３２  第２親板
３５  ２群駆動板
３６  ３群駆動板
３７  共通軸
３８  ３９  ギヤ機構
４０  ボリューム機構（可変抵抗器）
５０  基板
５０ｃ  ガイドロッド挿通孔
５２  リテイナ
５３  絞羽根
５４  開閉環
５４ｂ  絞開閉アーム
５４ｃ  連動溝
５５  フォトセンサー（原点センサー）
６０  駆動ユニット
６１  基板
６２ｄ  駆動アーム
６３  連動ピン
７０  レンズ側ＣＰＵ
７１  ズームスイッチ
７２  レリーズスイッチ
７３  測光装置
７４  測距装置
７５  信号処理回路
７６  記憶装置
８１  筒状ボス
８２  ボディ−レンズ接続ＦＰＣ基板
８３  ８５  コネクタ
８４  レンズ側ＦＰＣ基板
【図１】
0003645676.tif 000002
【図２】
0003645676.tif 000003
【図３】
0003645676.tif 000004
【図４】
0003645676.tif 000005
【図５】
0003645676.tif 000006
【図６】
0003645676.tif 000007
【図７】
0003645676.tif 000008
【図８】
0003645676.tif 000009
【図９】
0003645676.tif 000010
【図１０】
0003645676.tif 000011
【図１１】
0003645676.tif 000012
【図１２】
0003645676.tif 000013
【図１３】
0003645676.tif 000014
【図１４】
0003645676.tif 000015
【図１５】
0003645676.tif 000016
【図１６】
0003645676.tif 000017
【図１７】
0003645676.tif 000018
【図１８】
0003645676.tif 000019